(57)【要約】【課題】  画像形成装置で着脱可能な情報記憶媒体を使用する際の、ユーザの利便性を向上させる。また、課金管理や利用者制限管理等を確実、容易に行えるようにするとともに、画像形成装置の内部データ等の安全管理を図る。【解決手段】  画像形成装置に着脱可能な第１の情報記憶媒体に、課金情報や利用者識別情報等を記録する第２の情報記憶媒体を付加する。画像データ入力部２で読み取った画像データや画像データ蓄積部９に蓄積された画像データを第１の情報記憶媒体へ書き込む等したときの、装置の使用料金の支払い処理等は、第２の情報記憶媒体の課金情報をＩＣタグＲ／Ｗ部５が書き換えることで行う。また、第２の情報記憶媒体の利用者識別情報に基づき、画像形成装置の使用を制限する。【選択図】          図１
2006229684.tif 000002
【特許請求の範囲】
【請求項１】
画像形成装置と、該画像形成装置に着脱可能で画像情報を記録する第１の情報記憶媒体と、第１の情報記憶媒体に付加され前記画像形成装置の課金情報を記録する第２の情報記憶媒体とからなる画像形成装置の課金システムであって、
前記画像形成装置は、第１の情報記憶媒体の画像情報を読み取り及び／又は書き込む手段と、前記画像形成装置の所定の処理の実行に伴い前記第２の情報記憶媒体に記録された課金情報を書き換える手段とを備えたことを特徴とする画像形成装置の課金システム。
【請求項２】
請求項１に記載された画像形成装置の課金システムにおいて、
前記画像形成装置は、原稿の画像を読み取る画像読取手段を備え、
前記所定の処理は、前記画像読取手段で読み取った画像情報を前記第１の情報記憶媒体に書き込む処理であることを特徴とする画像形成装置の課金システム。
【請求項３】
請求項１に記載された画像形成装置の課金システムにおいて、
前記画像形成装置は、ネットワークに接続して画像情報を外部機器へ配信するネットワーク接続手段を備え、
前記所定の処理は、前記第１の情報記憶媒体から読み取った画像情報を前記ネットワーク接続手段で外部機器へ配信する処理であることを特徴とする画像形成装置の課金システム。
【請求項４】
請求項１に記載された画像形成装置の課金システムにおいて、
前記画像形成装置は、画像情報を蓄積する蓄積手段を備え、
前記所定の処理は、前記蓄積手段に蓄積された画像情報を前記第１の情報記憶媒体へ書き込む処理であることを特徴とする画像形成装置の課金システム。
【請求項５】
請求項１ないし４のいずれかに記載された画像形成装置の課金システムにおいて、
前記第２の情報記憶媒体は前記第１の情報記憶媒体の利用者識別情報を担持しており、
前記画像形成装置は、前記第２の情報記憶媒体から前記利用者識別情報を読み取る手段と、前記第２の情報記憶媒体から読み取った前記利用者識別情報に基づき、前記所定の処理を制限する手段とを備えたことを特徴とする画像形成装置の課金システム。
【請求項６】
請求項１ないし５のいずれかに記載された画像形成装置の課金システムにおいて、
前記第２の情報記憶媒体は非接触情報記憶媒体であることを特徴とする画像形成装置の課金システム。
【請求項７】
請求項６に記載された画像形成装置の課金システムにおいて、
前記非接触情報記憶媒体は、ＩＣタグであることを特徴とする画像形成装置の課金システム。
【発明の詳細な説明】
【技術分野】
【０００１】
本発明は、メモリカード等の着脱可能な情報記憶媒体を利用できるデジタル複合機等の画像形成装置の課金システムに関する。
【背景技術】
【０００２】
従来から、コンビニエンスストアの店頭やオフィスなどに複写機や、ファクシミリ、プリンタ、或いはこれらの機能を併せ持ったデジタル複合機等の画像形成装置を設置し、ユーザに有償で使用させ、貨幣やプリペイドカード等により使用料金を徴収することが行われている。即ち、ユーザは画像形成装置を利用すると、利用した出力枚数、用紙サイズ、カラー／モノクロ等に応じた料金を支払う。
【０００３】
例えば、特許文献１に記載された課金システムでは、画像形成装置に課金管理装置を接続して、自動的に課金額の計算や徴収等を行うようになっている。
【０００４】
また、デジタル複合機は、スキャナ部で読み取った画像を紙に印刷するほかに、電話回線等のネットワークを通じて画像情報を電子データとして送受信したり、メモリーカードやＩＣカード等の着脱可能な情報記憶媒体を利用して画像データをやり取りできるなど、高機能化が進んでいるため、これらの機能を備えた画像形成装置を利用した課金システムも知られている（例えば、特許文献２参照）。
【０００５】
この課金システムでは、光ディスクに記録された画像データやスキャナ部で読み込んだ画像データ、ネットワークを介して受信したデータ等を印刷、送信、或いは光ディスクへの書き込みができる画像形成装置が使用されている。
【０００６】
更に、光ディスクなどの情報記憶媒体にＩＣチップを内蔵した非接触情報記憶媒体（ＩＣタグ）を取り付けて、前記ＩＣチップの内容を読み出し、記録することでユーザデータを管理して課金できるようにしたシステムも知られている（例えば、特許文献３参照）。
【０００７】
しかし、以上の従来のシステムではそれぞれ次に述べるような問題がある。即ち、特許文献１に記載された課金システムでは、所定の情報が記録されたカード状情報記憶媒体で料金の支払いができるが、このカードは料金の支払いのためだけに使用され、画像形成装置で読み取った画像データを記録するなど、他の目的には使用できないため不便であるという問題がある。
【０００８】
特許文献２に記載された画像形成装置では、情報記憶媒体を利用した画像データのやり取りはできるが、ＩＣカード等で課金に対する決済を行うことに加え、画像データ記録のための光ディスクを使用しなければならず、煩わしいという問題がある。また、この装置では、ＩＣカード等に記録された情報を用いた利用者管理は行われていないため、利用者の使用制限等ができず、画像形成装置に記録された内部データ等の安全管理に問題がある。
【０００９】
特許文献３に記載された管理システムは、ＩＣタグのＩＣチップにユーザが光ディスクを使用した時間や回数を記録することで、光ディスクに記録された情報の使用料金等を管理することができるが、ＩＣタグを利用した自動的な使用料金の支払い処理やユーザ管理等は行われてはいないため、特許文献２に記載された装置と同様に、ユーザの利便性や内部データ等の安全管理に問題がある。
【００１０】
【特許文献１】特開２００４−１０９８８４号公報
【特許文献２】特開２００４−２１６６７８号公報
【特許文献３】特開２０００−２９３９７０号公報
【発明の開示】
【発明が解決しようとする課題】
【００１１】
本発明は、前記従来の問題に鑑みなされたものであって、その目的は、画像形成装置で着脱可能な情報記憶媒体を使用する際の、ユーザの利便性を向上させることである。また、課金管理や利用者制限管理等を確実、容易に行えるようにするとともに、画像形成装置の内部データ等の安全管理を図ることである。
【課題を解決するための手段】
【００１２】
請求項１の発明は、画像形成装置と、該画像形成装置に着脱可能で画像情報を記録する第１の情報記憶媒体と、第１の情報記憶媒体に付加され前記画像形成装置の課金情報を記録する第２の情報記憶媒体とからなる画像形成装置の課金システムであって、前記画像形成装置は、第１の情報記憶媒体の画像情報を読み取り及び／又は書き込む手段と、前記画像形成装置の所定の処理の実行に伴い前記第２の情報記憶媒体に記録された課金情報を書き換える手段とを備えたことを特徴とする。
請求項２の発明は、請求項１に記載された画像形成装置の課金システムにおいて、前記画像形成装置は、原稿の画像を読み取る画像読取手段を備え、前記所定の処理は、前記画像読取手段で読み取った画像情報を前記第１の情報記憶媒体に書き込む処理であることを特徴とする。
請求項３の発明は、請求項１に記載された画像形成装置の課金システムにおいて、前記画像形成装置は、ネットワークに接続して画像情報を外部機器へ配信するネットワーク接続手段を備え、前記所定の処理は、前記第１の情報記憶媒体から読み取った画像情報を前記ネットワーク接続手段で外部機器へ配信する処理であることを特徴とする。
請求項４の発明は、請求項１に記載された画像形成装置の課金システムにおいて、前記画像形成装置は、画像情報を蓄積する蓄積手段を備え、前記所定の処理は、前記蓄積手段に蓄積された画像情報を前記第１の情報記憶媒体へ書き込む処理であることを特徴とする。
請求項５の発明は、請求項１ないし４のいずれかに記載された画像形成装置の課金システムにおいて、前記第２の情報記憶媒体は前記第１の情報記憶媒体の利用者識別情報を担持しており、前記画像形成装置は、前記第２の情報記憶媒体から前記利用者識別情報を読み取る手段と、前記第２の情報記憶媒体から読み取った前記利用者識別情報に基づき、前記所定の処理を制限する手段とを備えたことを特徴とする。
請求項６の発明は、請求項１ないし５のいずれかに記載された画像形成装置の課金システムにおいて、前記第２の情報記憶媒体は非接触情報記憶媒体であることを特徴とする。
請求項７の発明は、請求項６に記載された画像形成装置の課金システムにおいて、前記非接触情報記憶媒体は、ＩＣタグであることを特徴とする。
【発明の効果】
【００１３】
本発明によれば、着脱可能な第１の情報記憶媒体に付加された第２の情報記憶媒体を用いて、課金管理や利用者制限管理等を行うため、ユーザの利便性を向上させることができるとともに、確実、容易に課金管理や利用者制限管理等ができる。また、画像形成装置の内部データ等の安全管理を図ることができる。
【発明を実施するための最良の形態】
【００１４】
以下、本発明の画像形成装置の課金システムの一実施形態について、図面を参照して説明する。本実施形態では画像形成装置として、複写機、プリンタ、ファクシミリ、スキャナ等の機能を併せ持った、ネットワーク接続可能なデジタル複合機を例として説明するが、複写機、プリンタ、ファクシミリ、スキャナ等その他の画像形成装置であってもよい。図１は、本実施形態に係るデジタル複合機の主要部を示すブロック図であり、図２はこのデジタル複合機が接続されたシステム全体の構成図である。
【００１５】
デジタル複合機１は、画像データ入力部２、画像データ変換部３、操作部４、ＩＣタグリード／ライト（Ｒ／Ｗ）部５、外部接続処理部６、画像出力部７、画像データ処理部８、画像データ蓄積部９、制御部１０を有する。デジタル複合機１には、相互にデータの交換ができ、画像データ等を蓄積できる図示しない着脱可能な情報記憶媒体、例えばメモリカードが装着できる。また、メモリカードには非接触で各種情報の読み書きができる非接触情報記憶媒体、例えばＩＣタグが付加されている。
【００１６】
なお、本発明において、メモリカードとは、情報を蓄積可能なリムーバブルメディアを総括しており、半導体メモリを利用した着脱可能な情報記憶媒体のほかに、光記憶媒体、光磁気記憶媒体、磁気記憶媒体等の情報を蓄積可能な各種媒体であってもよい。また、その形状がカードに限定されるものではない。
【００１７】
非接触情報記憶媒体とはＩＣチップ等の情報記憶媒体を備え、外部装置と非接触で交信できる媒体である。従って、非接触であれば通信手段や通信距離、電波の波長等は問わない。また、ＩＣタグとは、ＩＣチップを情報記憶媒体として備え、外部装置により非接触で情報の読み書きができる媒体であり、接着、埋め込み、一体的構成等によりメモリカードへ付加されている。なお、画像形成装置と接続して情報の読み書きができる情報記憶媒体を、メモリカードへ付加してもよい。
【００１８】
画像データ入力部２は、ＣＣＤ等により写真や書籍、原稿等を読み取る（スキャン）機能を持ったスキャナ部を有し、スキャンした画像データをＲＧＢ画像データに変換するＲＧＢ処理等を行う。画像データ変換部３は、画像データのフォーマット変換（ＪＰＥＧ、ＴＩＦＦ等）を行う。
【００１９】
操作部４は、ユーザがデジタル複合機１の操作に使用する入力手段と、操作に関する情報を表示する表示部を有する。入力手段としては、テンキーやスタートボタン等を用いることができ、表示部にタッチパネルを使用して操作することもできる。表示部には一般的な操作に必要な情報のほかに、機器の使用料等の課金に関する情報や、画像データ蓄積部９やメモリカードに蓄積されたデータの内容等を表示する。
【００２０】
ＩＣタグＲ／Ｗ部５は、メモリカードスロット（図示せず）へ装着されるメモリカードに付加されたＩＣタグと非接触で情報を送受信し、ＩＣタグに記録された情報の読み書きを行う。ＩＣタグと通信する方法としては、ＲＦＩＤ（Ｒａｄｉｏ  Ｆｒｅｑｕｅｎｃｙ  Ｉｄｅｎｔｉｆｉｃａｔｉｏｎ）技術等を用いる。ＲＦＩＤ技術は無線通信により、非接触でＩＣチップとデータを交換する技術である。
【００２１】
外部接続処理部６は、各種外部インターフェース（Ｉ／Ｆ）の制御を行う。例えばデジタル複合機１を画像データ等の送受信機として使用する場合には、ネットワークＩ／Ｆを制御してコンピュータ等のネットワーク上の外部機器とデータの送受信を行う。また、メモリカードＩ／Ｆを制御して、メモリカードスロットに装着されたメモリカードへ画像データの蓄積等を行う。
【００２２】
画像出力部７は、画像を紙に印刷する印刷手段を有し、画像データ入力部２でスキャンした画像等を紙に印刷する。画像データ処理部８は、画像データの加工や圧縮、伸長、回転等の編集処理を行う。
【００２３】
画像データ蓄積部９は、メモリやハードディスク等の情報記憶媒体である。画像データ変換部３でフォーマット変換された画像データや、画像データ処理部８で編集処理された画像データ等を蓄積するほか、それらの処理の一時的な作業記憶領域ともなる。
【００２４】
制御部１０は、中央演算処理装置（ＣＰＵ）等の処理手段を有し、デジタル複合機１全体の制御を行う。例えば、ＩＣタグに記録された情報に基づいた機器使用時の利用者制限制御等のほかに、後述する課金用コインラック１１の制御も行う。
【００２５】
図２に示すように、デジタル複合機１は、複数の機器２０と共にネットワーク３０に接続されており、各機器間では画像データ等の情報の送受信ができる。機器２０はパーソナルコンピュータや複写機、他のデジタル複合機など複数種類の機器からなる。ネットワーク３０にはインターネット、ＬＡＮ、公衆電話回線など各種の通信ネットワークを使用することができる。
【００２６】
本実施形態ではデジタル複合機１は店頭等に設置され、有償で使用されるため、デジタル複合機１には課金用コインラック１１を接続する。課金用コインラック１１は、デジタル複合機１の制御部１０により制御されており、投入された貨幣の金額を判断してデジタル複合機１にその金額を送信するほか、貨幣を内部に蓄えることができる。また、口座振替やクレジットカードの使用など、他の方法で料金を徴収できるようにしてもよい。
【００２７】
デジタル複合機１には、画像データ等の読み書きができるメモリカードが着脱でき、画像データ入力部２でスキャンした画像データを記録紙に印刷せずに、メモリカードに記録して機器外に持ち出すことができる。また、画像データ蓄積部９に蓄積された画像データを、メモリカードに転送記録することもでき、メモリカードに記録された画像データをデジタル複合機１を使い、ネットワーク３０に接続された他の機器２０（パーソナルコンピュータ、デジタル複合機等）に配信・転送することもできる。
【００２８】
画像データ蓄積部９に蓄積された画像データは、デジタル複合機１が複写機として使用された場合には過去に画像データ入力部２でスキャンした画像データであり、ファクシミリとして使用された場合には受信した画像データなどである。
【００２９】
上記のように、ユーザがデジタル複合機１でメモリカードを使い、画像データを転送等するときには、デジタル複合機１の使用料金を支払う必要がある。この際の使用料金の支払いは、メモリカードに付加されたＩＣタグに記録されたチャージポイント等からなる課金情報をＩＣタグＲ／Ｗ部５が書き換えることで行う。
【００３０】
ユーザは、ネットワークに接続された複数のデジタル複合機等の機器から使いたい機器を選択して、その機器で使用する金額を料金チャージ（課金登録）することができる。料金チャージは予め、又は機器の使用時に課金用コインラック１１に貨幣を投入して行う。
【００３１】
課金用コインラック１１から投入された金額の送信を受けると、ＩＣタグＲ／Ｗ部５はメモリカードのＩＣタグに記録された、料金チャージを行って利用できる機器のＩＤ（利用許可機器ＩＤ）や、その機器で使用できる残金やスキャン可能回数等の情報（チャージポイント）を書き換える。なお、料金チャージは、複数の機器で機器ごとにすることもできる。また、一括して課金管理されている複数の機器群（ここでは、「同胞機器」という）を選択することもでき、この場合には、ＩＣタグに利用許可同胞機器ＩＤが記録される。
【００３２】
ＩＣタグＲ／Ｗ部５は、デジタル複合機１が使用されるとチャージポイントを減らし、課金用コインラック１１に貨幣が投入されるとチャージポイントを増やすようにＩＣタグのチャージポイントを書き換える。
【００３３】
また、ＩＣタグにメモリカード所有者の認証された識別符号（メモリカード所有者ＩＤ）を記録して、その所有者が使用できる機器等を制限することもでき、口座番号等（料金支払いの振替先情報）を記録して、使用料金を口座等から引き落とすようにすることもできる。デジタル複合機１等を１つの会社内で使う場合には、ＩＣタグに料金支払いの振替先情報としてメモリーカード所有者の所属部門コード等を記録して、その部門へ料金の請求を行うようにすることもできる。
【００３４】
次に、本実施形態のデジタル複合機１を用いた課金システムの具体的な動作の流れについて説明する。まず、ユーザがデジタル複合機１の画像データ入力部２でスキャンした紙原稿の画像データをメモリカードに蓄積する際に発生する「スキャナ課金」について説明する。「スキャナ課金」では、画像データ入力部２で画像をスキャンした回数を課金対象とする。なお、以下の動作は、制御部１０の処理手段が各フローチャートのステップを実行することで行われる。
【００３５】
図３は、このときの課金システムの動作の流れを示すフローチャートである。デジタル複合機１は、ユーザがメモリカードスロットにメモリカードを装着したことを認識すると（Ｓ１０１）、操作部４の表示部（タッチパネル）に「メモリカードアプリケーション」画面を表示する（Ｓ１０２）。
【００３６】
ＩＣタグＲ／Ｗ部５は、メモリカードのＩＣタグから利用許可機器ＩＤまたは利用許可同胞機器ＩＤとチャージポイント等を読み取り、そのデジタル複合機１へ料金チャージがされているか否かを判断する（Ｓ１０３）。料金チャージがされていれば（Ｓ１０３／Ｙｅｓ）、Ｓ１０４へ進み、料金チャージがされていなければ（Ｓ１０３／Ｎｏ）、Ｓ１１０へ進む。
【００３７】
Ｓ１１０へ進むと、タッチパネルに、図４に示す「メモリカード蓄積サービス画面：課金登録」を表示する（Ｓ１１０）。この画面には、メモリカードに料金チャージが無いことを示す表示のほかに、料金チャージするか否かを選択するキー（「ＹＥＳ」キー５１、「ＮＯ」キー５２）も表示される。この画面で料金チャージしない（「ＮＯ」キー５２）が選択されると（Ｓ１１１／Ｎｏ）、処理を終了する。
【００３８】
一方、料金チャージする（「ＹＥＳ」キー５１）が選択されると（Ｓ１１１／Ｙｅｓ）、タッチパネルに図５に示す「メモリカード使用料チャージ画面」を表示する（Ｓ１１２）。この画面には、幾つかのチャージ料金パターン（金額とスキャンできる回数）とそれらを選択する「選択」キー５３も表示される。この画面でいずれかのチャージ料金パターンが「選択」キー５３により選択された後、「確定」キー５５が選択されると（Ｓ１１３）、タッチパネルに「選択した金額をコインラックに投入してください」と表示する（Ｓ１１４）。
【００３９】
ユーザが指示された金額をコインラックに投入したことを確認すると、ＩＣタグＲ／Ｗ部５はＩＣタグの利用許可機器ＩＤまたは利用許可同胞機器ＩＤとチャージポイントを上書きし（Ｓ１１５）、Ｓ１０４へ戻る。なお、図５の「キャンセル」キー５４は、Ｓ１１３で選択したチャージ料金パターンを変更したいとき等に使用される。
【００４０】
Ｓ１０４では、ＩＣタグＲ／Ｗ部５がＩＣタグから読み取ったそのデジタル複合機１のＩＤにおけるチャージポイントから、図６に示す「メモリカード蓄積利用可能残金」画面をタッチパネルに表示する（Ｓ１０４）。この画面には、利用可能な残金とスキャンできる回数のほかに、メモリカードへの蓄積の開始を促すメッセージも表示される。
【００４１】
紙原稿が画像データ入力部２にセットされ、操作部４のスタートキーが押されると、原稿をスキャンし、その画像データをメモリカードに蓄積する（Ｓ１０５）。メモリカードへの蓄積が終了すると、タッチパネルに図７に示す「メモリカード蓄積終了」画面を表示する（Ｓ１０６）。この画面には、今回の利用金額、スキャンの回数、画像データの蓄積に使用されたメモリカードのメモリ容量が表示される。また、利用可能な残金とスキャンできる回数が表示され、引き続きメモリカード蓄積作業を行うか否かを選択するキー（「ＹＥＳ」キー５６、「ＮＯ」キー５７）も表示される。ＩＣタグＲ／Ｗ部５は、ＩＣタグの利用前のチャージポイントに利用後のチャージポイント（利用前のチャージポイントから利用したチャージポイントを差し引いた値）を上書きする。
【００４２】
図７の画面で、引き続きメモリカード蓄積作業を行う（「ＹＥＳ」キー５６）が選択されると（Ｓ１０７／Ｙｅｓ）、Ｓ１０４に戻り再び同様の処理を行う。一方、蓄積作業を終了する（「ＮＯ」キー５７）が選択されると（Ｓ１０７／Ｎｏ）、タッチパネルに「メモリカードを抜き取ってください」と表示し（Ｓ１０８）、ユーザがメモリカードスロットからメモリカードを抜き取ったことを認識すると（Ｓ１０９）、処理を終了する。
【００４３】
以上のように、メモリカードを装着して画像データを蓄積すると、装置の使用料金の支払いが自動的に行われるため、ユーザの利便性を向上させることができる。また、メモリーカードに付加されたＩＣタグに使用料金の残額や利用者に関する情報等を格納するため、課金管理や利用者制限管理を確実、容易に行うことができる。
【００４４】
次に、ユーザがデジタル複合機１を使い、自己のメモリカードに蓄積した画像データを、ネットワークに接続された他の機器（パーソナルコンピュータ、他のデジタル複合機、ファクシミリ等）へ配信・転送する際に発生する「配信課金」について説明する。「配信課金」では、他の機器へ配信・転送する画像データの容量を課金対象とする。
【００４５】
図８は、このときの課金システムの動作の流れを示すフローチャートである。デジタル複合機１は、ユーザがメモリカードスロットにメモリカードを装着したことを認識すると（Ｓ２０１）、操作部４の表示部（タッチパネル）に「メモリカードアプリケーション」画面を表示する（Ｓ２０２）。
【００４６】
ＩＣタグＲ／Ｗ部５は、メモリカードのＩＣタグから利用許可機器ＩＤまたは利用許可同胞機器ＩＤとチャージポイント等を読み取り、そのデジタル複合機１へ料金チャージがされているか否かを判断する（Ｓ２０３）。料金チャージがされていれば（Ｓ２０３／Ｙｅｓ）、Ｓ２０４へ進み、料金チャージがされていなければ（Ｓ２０３／Ｎｏ）、Ｓ２１２へ進む。
【００４７】
Ｓ２１２へ進むと、タッチパネルに、図４に示す「メモリカード蓄積サービス画面：課金登録」を表示する（Ｓ２１２）。この画面には、メモリカードに料金チャージが無いことを示す表示のほかに、料金チャージするか否かを選択するキー（「ＹＥＳ」キー５１、「ＮＯ」キー５２）も表示される。この画面で料金チャージしない（「ＮＯ」キー５２）が選択されると（Ｓ２１３／Ｎｏ）、処理を終了する。
【００４８】
一方、料金チャージする（「ＹＥＳ」キー５１）が選択されると（Ｓ２１３／Ｙｅｓ）、タッチパネルに図９に示す「メモリカード使用料チャージ画面」を表示する（Ｓ２１４）。この画面には、幾つかのチャージ料金パターン（金額と転送・配信できる容量）とそれらを選択する「選択」キー６１等も表示される。この画面でいずれかのチャージ料金パターンが「選択」キー６１により選択された後、「確定」キー６３が選択されると（Ｓ２１５）、タッチパネルに「選択した金額をコインラックに投入してください」と表示する（Ｓ２１６）。
【００４９】
ユーザが指示された金額をコインラックに投入したことを確認すると、ＩＣタグＲ／Ｗ部５はＩＣタグの利用許可機器ＩＤまたは利用許可同胞機器ＩＤとチャージポイントを上書きし（Ｓ２１７）、Ｓ２０４へ戻る。なお、図９の「キャンセル」キー６２は、Ｓ２１５で選択したチャージ料金パターンを変更したいとき等に使用される。
【００５０】
Ｓ２０４では、ＩＣタグＲ／Ｗ部５がＩＣタグから読み取ったそのデジタル複合機１のＩＤにおけるチャージポイントから、図１０に示す「メモリカードデータ転送・配信利用可能残金」画面をタッチパネルに表示する（Ｓ２０４）。この画面には、利用可能な残金と転送・配信できる容量や転送・配信ができる旨の表示のほかに、メモリカード内に蓄積された画像データのファイルリストの表示を要求する「ファイルリスト一覧表示」キー６４も表示される。
【００５１】
「ファイルリスト一覧表示」キー６４が選択されると、メモリカードに蓄積されたファイルを読み出し、図１１に示す「メモリカードファイルリスト」画面をタッチパネルに表示する（Ｓ２０５）。この画面には、ファイル名とファイルの容量のほかに、転送・配信するファイルを選択する選択キー６５、入力された送付先のｅ−ｍａｉｌアドレス６６等が表示される。
【００５２】
選択キー６５で転送・配信するファイルが選択され、操作部４のテンキー等で送付先のｅ−ｍａｉｌアドレスが入力されて「確定」キー６７によりそれらの内容が確定された後、操作部４のスタートキーが押されると（Ｓ２０６）、選択されたファイルの画像データを転送・配信する（Ｓ２０７）。
【００５３】
転送・配信が終了すると、タッチパネルに図１２に示す「ファイルデータ転送・配信終了」画面を表示する（Ｓ２０８）。この画面には、今回の利用金額、転送したファイルの容量が表示される。また、利用可能な残金と転送できる容量が表示され、引き続きファイルの転送・配信作業を行うか否かを選択するキー（「ＹＥＳ」キー６８、「ＮＯ」キー６９）も表示される。ＩＣタグＲ／Ｗ部５は、ＩＣタグの利用前のチャージポイントに利用後のチャージポイントを上書きする。
【００５４】
図１２の画面で、ファイルの転送・配信作業を行う（「ＹＥＳ」キー６８）が選択されると（Ｓ２０９／Ｙｅｓ）、Ｓ２０４に戻り再び同様の処理を行う。一方、転送・配信作業を終了する（「ＮＯ」キー６９）が選択されると（Ｓ２０９／Ｎｏ）、タッチパネルに「メモリカードを抜き取ってください」と表示し（Ｓ２１０）、ユーザがメモリカードスロットからメモリカードを抜き取ったことを認識すると（Ｓ２１１）、処理を終了する。
【００５５】
以上のように、メモリカードを装着して画像データを転送・配信すると、装置の使用料金の支払いが自動的に行われるため、ユーザの利便性を向上させることができる。また、メモリーカードに付加されたＩＣタグに使用料金の残額や利用者に関する情報を格納するため、課金管理や利用者制限管理を確実、容易に行うことができる。
【００５６】
次に、ユーザがデジタル複合機１の画像データ蓄積部９に蓄積されている画像データ等の情報を、自己のメモリカードに転送する際に発生する「転送課金」について説明する。「転送課金」では、画像データ蓄積部９の内部メモリからメモリカードへ転送する画像データの容量を課金対象とする。なお、デジタル複合機１が１つの会社内で使用され、内部メモリへのアクセス制限があり、使用料金の振替がメモリカード所有者の所属部門になされる場合を例にして説明する。
【００５７】
図１３は、このときの課金システムの動作の流れを示すフローチャートである。デジタル複合機１は、ユーザがメモリカードスロットにメモリカードを装着したことを認識すると（Ｓ３０１）、操作部４の表示部（タッチパネル）に「メモリカードアプリケーション」画面を表示する（Ｓ３０２）。
【００５８】
ＩＣタグＲ／Ｗ部５は、メモリカードのＩＣタグからメモリカード所有者ＩＤを読み取り、その所有者に画像データ蓄積部９の内部メモリに蓄積されている情報にアクセスする権限があるか否かを判断する（Ｓ３０３）。アクセス権限があれば（Ｓ３０３／Ｙｅｓ）、Ｓ３０４へ進み、アクセス権限がなければ（Ｓ３０３／Ｎｏ）、処理を終了する。
【００５９】
Ｓ３０４では、まず、タッチパネルに「内部メモリファイルリスト一覧表示」を要求するキー等が表示され、そのキーが選択されると、画像データ蓄積部９の内部メモリに蓄積されたファイルを読み出し、図１４に示す「内部メモリファイルリスト」画面をタッチパネルに表示する（Ｓ３０４）。この画面には、ファイル名とファイルの容量のほかに、メモリカードへ転送するファイルを選択する選択キー７１等が表示される。
【００６０】
選択キー７１で転送するファイルが選択され、「確定」キー７２と操作部４のスタートキーが押されると（Ｓ３０５）、選択されたファイルの画像データをメモリカードへ転送する（Ｓ３０６）。
【００６１】
転送が終了すると、タッチパネルに図１５に示す「メモリカードへの転送終了」画面を表示する（Ｓ３０７）。この画面には、今回の利用金額、転送したファイルの容量や、引き続きメモリカードへの蓄積作業を行うか否かを選択するキー（「ＹＥＳ」キー７３、「ＮＯ」キー７４）も表示される。また、ＩＣタグＲ／Ｗ部５は、ＩＣタグから料金支払いの振替先情報（メモリカード所有者の所属部門コード）を読み出し、タッチパネルには部門コードを表示し、その部門へ料金を請求する。
【００６２】
図１５の画面で、メモリカードへの蓄積作業を行う（「ＹＥＳ」キー７３）が選択されると（Ｓ３０８／Ｙｅｓ）、Ｓ３０４に戻り再び同様の処理を行う。一方、蓄積作業を終了する（「ＮＯ」キー７４）が選択されると（Ｓ３０８／Ｎｏ）、タッチパネルに「メモリカードを抜き取ってください」と表示し（Ｓ３０９）、ユーザがメモリカードスロットからメモリカードを抜き取ったことを認識すると（Ｓ３１０）、処理を終了する。
【００６３】
以上のように、メモリカードを装着して画像データを転送すると、装置の使用料金の支払いが自動的に行われるため、ユーザの利便性を向上させることができる。また、メモリカードに付加されたＩＣタグに使用料金の残額や利用者に関する情報を格納するため、課金管理や利用者制限管理を確実、容易に行うことができるとともに、機器の内部メモリへのアクセスを制限できるため、内部データを安全に管理することができる。
【図面の簡単な説明】
【００６４】
【図１】本発明の一実施形態に係るデジタル複合機の主要部を示すブロック図である。
【図２】同実施形態に係るデジタル複合機が接続されたシステム全体の構成図である。
【図３】課金（スキャナ課金）システムの動作の流れを示すフローチャートである。
【図４】メモリカード蓄積サービス画面（課金登録）の表示例を示す図である。
【図５】メモリカード使用料チャージ画面の表示例を示す図である。
【図６】メモリカード蓄積利用可能残金画面の表示例を示す図である。
【図７】メモリカード蓄積終了画面の表示例を示す図である。
【図８】課金（配信課金）システムの動作の流れを示すフローチャートである。
【図９】メモリカード使用料チャージ画面の表示例を示す図である。
【図１０】メモリカードデータ転送・配信利用可能残金画面の表示例を示す図である。
【図１１】メモリカードファイルリスト画面の表示例を示す図である。
【図１２】ファイルデータ転送・配信終了画面の表示例を示す図である。
【図１３】課金（転送課金）システムの動作の流れを示すフローチャートである。
【図１４】内部メモリファイルリスト画面の表示例を示す図である。
【図１５】メモリカードへの転送終了画面の表示例を示す図である。
【符号の説明】
【００６５】
１・・・デジタル複合機、２・・・画像データ入力部、３・・・画像データ変換部、４・・・操作部、５・・・ＩＣタグＲ／Ｗ部、６・・・外部接続処理部、７・・・画像出力部、８・・・画像データ処理部、９・・・画像データ蓄積部、１０・・・制御部、１１・・・課金用コインラック、２０・・・機器、３０・・・ネットワーク。
【図１】
2006229684.tif 000003
【図２】
2006229684.tif 000004
【図３】
2006229684.tif 000005
【図４】
2006229684.tif 000006
【図５】
2006229684.tif 000007
【図６】
2006229684.tif 000008
【図７】
2006229684.tif 000009
【図８】
2006229684.tif 000010
【図９】
2006229684.tif 000011
【図１０】
2006229684.tif 000012
【図１１】
2006229684.tif 000013
【図１２】
2006229684.tif 000014
【図１３】
2006229684.tif 000015
【図１４】
2006229684.tif 000016
【図１５】
2006229684.tif 000017